(57)【要約】【課題】就寝中の者に、地震などの突発的な異常の発生を確実に知覚させる。【解決手段】監視事象の異常を検知する検知部１１ａと、検知部１１ａが異常を検知したときには、異常検知信号を送出する送信部１１ｂとを有した警報器１１と、空気袋１３ａを内部に収容した人体作用部１３と、空気袋１３ａにガスを供給する給気部１２ｂを有し、異常検知信号を受信したときには、吸気部１２ｂを作動させて、空気袋１３ａを膨張させる給気制御装置１２とを備える。【選択図】図１
2010009171.tif 000002
【特許請求の範囲】
【請求項１】
監視事象の異常を検知する検知部と、前記検知部が異常を検知したときには、異常検知信号を送出する送信部とを有した警報器と、
空気袋を内部に収容した人体作用部と、
前記空気袋にガスを供給する給気部を有し、前記異常検知信号を受信したときには、前記吸気部を作動させて、前記空気袋を膨張させる給気制御装置とを備えた警報システム。
【請求項２】
請求項１において、
前記人体作用部は、寝具として構成されている警報システム。
【請求項３】
請求項２において、
前記寝具は、マクラ、ベッド、マットのいずれかである警報システム。
【発明の詳細な説明】
【技術分野】
【０００１】
本発明は、監視事象の異常を検知すると警報を出力する警報器と、その警報器に連動する補助警報装置とで構成された警報システムに関する。
【背景技術】
【０００２】
従来、住戸用の火災警報器は、火災を検知すると警報を音声出力し、表示等を点滅させる構成になっているが、更に、補助警報装置として接続されたブザーあるいは外部表示灯を連動させるシステムもある。そのようなシステムの例として、次の特許文献１には、火災報知用電源からの火災報知信号を無線送信し、その火災報知信号によって枕にセットしておいた振動子を作動させるようにした報知装置が記載されている。
【特許文献１】実開平07-025486号公報
【発明の開示】
【発明が解決しようとする課題】
【０００３】
しかしながら、上記特許文献１の構成では、補助警報装置として振動子を枕にセットしているが、就寝している者の頭部の位置、あるいは姿勢によっては振動が頭部に伝わらず、異常の発生を知覚させることができないことも考えられる。そこで、本発明は、就寝中の者に確実に異常の発生を知覚させられる警報システムを提供することを課題とする。
【課題を解決するための手段】
【０００４】
本発明による警報システムは、監視事象の異常を検知する検知部と、前記検知部が異常を検知したときには、異常検知信号を送出する送信部とを有した警報器と、空気袋を内部に収容した人体作用部と、前記空気袋にガスを供給する給気部を有し、前記異常検知信号を受信したときには、前記吸気部を作動させて、前記空気袋を膨張させる給気制御装置とを備える。また、人体作用部材は、例えば、枕、ベッド、マット等の寝具として構成することが望ましい。
【発明の効果】
【０００５】
本発明では、監視事象の異常を検知したときには、給気制御装置を作動させて人体作用部を変形させ、それによって人体を圧迫、姿勢変化させるので、就寝中の者を目覚めさせて異常を確実に知覚させることができる。特に、人体作用部を寝具として構成した場合には、振動子を枕にセットするような手間が掛からず、年配者でも手軽に使用することができる。
【発明を実施するための最良の形態】
【０００６】
以下、本発明の実施例を図に従って説明する。
【０００７】
図１は本発明による警報システムの基本的な構成図、図２は本発明による警報システムのより詳細な構成を説明するブロック図である。
この警報システム１は、壁面あるいは天井面に固定され、例えば煙、熱等の火災要因、あるいはガス漏れ等、監視事象の異常を検知すると警報を出力する警報器１１と、警報器１１が送出した異常検知信号を受信すると、人体作用部１３を作動させる給気装置１２と、空気袋１３ａを内部に収容した人体作用部１３とで構成されている。
【０００８】
警報器１１は、監視事象の異常を検知する検知部１１ａと、検知部１１ａが異常を検知したときに、異常検知信号を送出する無線送信部１１ｂと、警報を音声出力する警報部１１ｃと、警報停止等の操作を受け付ける操作部１１ｄと、これらを制御する制御部１１ｅとを備えている。
【０００９】
給気制御装置１２は、警報器１１が送出した異常検知信号を受信する無線受信部１２ａと、エアポンプあるいは電磁弁を付加した小型圧縮ガスボンベ等で構成された給気部１２ｂと、これらを制御する制御部１１ｅとを備えており、異常検知信号を受信したときには、空気あるいは窒素等のガスを人体作用部１３に供給するようになっている。
【００１０】
人体作用部１３は、例えば、蒲団の裏側にセットすることを前提として、空気袋１３ｂを保護カバーで覆っただけのものとしてもよいが、空気袋１３ａを内部に収容した枕等の寝具として構成すれば、セットする手間も掛からないため、年配者でも手軽に利用できるようになる。空気袋１３ａは、給気制御装置１２からガスを供給することで膨張し、人体作用部１３を変形させるためのもので、人体作用部１３の変形により、使用者、つまり就寝中の者に異常発生を知覚させる。例えば、人体作用部１３を枕として構成した場合では、その枕を使用して就寝中の者は、枕が膨張すれば頭部が圧迫されるので、確実に目覚めて異常の発生を知覚させることができる。空気袋１３ａは、ゴム製としてもよく、気密加工した布製としてもよく、材質に特段の制限はない。なお、人体作用部１３は給気制御装置１２と一体として構成してもよいが、別体として構成して、給気制御装置１２とエアチューブ等によって連結するようにしてもよい。
【００１１】
次いで、警報システム１の基本動作を説明する。
警報器１１は、従来構成と同様に、監視対象の異常を検知すると、例えば「ヒュンヒュン、火災が発生しました」等の警報音声を出力すると共に、無線によって異常検知信号を送出する。給気制御装置１２は、その異常検知信号を受信すると、人体作用部１３にガスを供給して、人体作用部１３の形状を変化させる。なお、給気制御装置１２は、作動している間、ガスの供給と排出とを繰り返す構成として、人体作用部１３の形状を繰り返し変化させるようにしてもよい。
【００１２】
その後、警報器１１で警報停止操作がなされると、警報器１１は、警報音声の出力を停止すると共に、給気制御装置１２に対して復帰信号を送出する。給気制御装置１２は、復帰信号を受信すると、人体作用部１３の空気袋１３ａからガスを排気させて、その形状を元に戻す。
【００１３】
図３〜図５は、人体作用部の異なる構成例における作用時の形状変化を示した図面である。
【００１４】
図３は、人体作用部を枕として構成した例を説明する図面である。この枕の内部には、空気袋１３ａが収容されており、作用時には、枕が膨らむことにより、就寝中の者の頭部を起こすようになっている。
【００１５】
図４は、人体作用部をマットとして構成した例を説明する図面である。このマットの内部に空気袋１３ａが収容されており、作用時には、マットが膨らむことにより、就寝中の者の上体を起こすようになっている。
【００１６】
図５は、人体作用部をベッドとして構成した例を説明する図面である。このベッドは、中央部が湾曲可能な中折れ構造となっており、上体部をエアピストンで起こせるようになっている。この例では、エアピストンが本発明の空気袋１３ａに相当する。
【００１７】
図６〜図８は、本発明による警報システムの他例を説明する構成図である。
【００１８】
図６は、単独の警報器１１、給気制御装置１２および人体作用部１３からなり、警報器１１と給気制御装置１２とを信号線で接続したシステムの例である。この例では、警報器１１は、給気制御装置１２に信号線を通じて異常検知信号、復帰信号を伝送する。
【００１９】
図７は、複数の警報器１１、給気制御装置１２および人体作用部１３からなり、警報器１１と給気制御装置１２とを渡り配線の信号線で接続したシステムの例である。この例では、１台の警報器１１が異常を検知すると、その警報器１１が渡り配線された信号線に異常検知信号を送出して、他の警報器１１に警報音声を連動して出力させると共に、給気制御装置１２も作動させて人体作用部１３の形状を変化させる。また、警報音声が出力されているときに、１台の警報器１１で警報停止操作がなされると、その警報器１１が信号線に解除信号を送出して、他の警報器１１の警報音声を出力停止させると共に、給気制御装置１２の作動も停止させて、人体作用部１３の形状を元に戻す。
【００２０】
図８は、複数の警報器１１、給気制御装置１２および人体作用部１３からなり、警報器１１と給気制御装置１２とを無線によって接続したシステムの例である。この例は、図７のシステムにおける渡り配線を無線によって置換したもので、基本的な動作は図７のシステムと共通である。
【図面の簡単な説明】
【００２１】
【図１】本発明による警報システムの基本的な構成図である。
【図２】本発明による警報システムのより詳細な構成を説明するブロック図である。
【図３】人体作用部を枕として構成した例を説明する図面である。
【図４】人体作用部をマットとして構成した例を説明する図面である。
【図５】人体作用部をベッドとして構成した例を説明する図面である。
【図６】本発明による警報システムの他例を説明する構成図である。
【図７】本発明による警報システムの他例を説明する構成図である。
【図８】本発明による警報システムの他例を説明する構成図である。
【符号の説明】
【００２２】
１      警報システム
１１    警報器
１１ａ  検知部
１１ｂ  送信部
１２    給気制御装置
１２ｂ  給気部
１３    人体作用部
１３ａ  空気袋
【図１】
2010009171.tif 000003
【図２】
2010009171.tif 000004
【図３】
2010009171.tif 000005
【図４】
2010009171.tif 000006
【図５】
2010009171.tif 000007
【図６】
2010009171.tif 000008
【図７】
2010009171.tif 000009
【図８】
2010009171.tif 000010